(57)【特許請求の範囲】
【請求項１】
眼球に形成された切開創口から前記眼球の内部へ眼内レンズを挿入するための眼内レンズ挿入器具であって、
前記眼球の内部へ前記眼内レンズを挿入するための開口部を先端に備える挿入部と、
前記切開創口に押し当てるための押し当て部を備える押し当て部材と、を有し、
前記押し当て部材は、前記挿入部の先端よりも後方の位置にて係止され、前記挿入部の先端側から取り外し可能であり、筒形状または略筒形状に形成され、
前記押し当て部材の内周面の内側に前記挿入部が配置され、かつ、前記押し当て部材の内周面と前記挿入部とが面接触する状態で、前記押し当て部材は前記挿入部に係止されること、
を特徴とする眼内レンズ挿入器具。
【請求項２】
請求項１の眼内レンズ挿入器具において、
前記押し当て部は、前記押し当て部材の軸方向の一端にて前記軸方向と交差する方向に突出するように形成されること、
を特徴とする眼内レンズ挿入器具。
【発明の詳細な説明】
【技術分野】
【０００１】
本開示は、眼内レンズを患者眼に挿入する眼内レンズ挿入器具に関する。
【背景技術】
【０００２】
従来、白内障の手術方法の一つとして水晶体を摘出した後、水晶体の代わりに折り曲げ可能な軟性の眼内レンズを眼内に挿入する手法が一般的に用いられている。また、眼の屈折力を矯正するために、水晶体よりも前側に眼内レンズが挿入される場合もある。眼内レンズの眼内への挿入には、インジェクターと呼ばれる眼内レンズ挿入器具が用いられる場合がある。
【０００３】
インジェクターを用いて眼内へ眼内レンズを挿入するに際しては、術者は、まず、眼球に形成された切開創口から眼内へインジェクターの挿入部を差し込み、その後、眼内レンズを押出手段（プランジャー）により先細の挿入部の先端に向けて押し出しながら小さく折り曲げて、挿入部の先端から眼内へ挿入する（特許文献１参照）。
【先行技術文献】
【特許文献】
【０００４】
【特許文献１】特開２０１３−１３４５７号公報
【発明の概要】
【発明が解決しようとする課題】
【０００５】
前記のように術者がインジェクターを用いて眼内へ眼内レンズを挿入した後、インジェクターの挿入部を眼内から引き抜くときに、切開創口が挿入部に引き摺られて眼球の外側に拡がるようにして開口してしまう場合がある。これに対し、術者は、切開創口の治癒を早めるため、切開創口と切開創口の周辺部分を指で押さえて切開創口を閉じる処置を施す場合がある。しかしながら、例えば、指で切開創口と切開創口の周辺部分を均一に押さえることは難しいので、切開創口は安定して閉じられないおそれがある。
【０００６】
そこで、本開示は上記した問題点を解決するためになされたものであり、眼球の切開創口を好適に閉じることができる眼内レンズ挿入器具を提供することを目的とする。
【課題を解決するための手段】
【０００７】
本開示の典型的な実施形態は、眼球に形成された切開創口から前記眼球の内部へ眼内レンズを挿入するための眼内レンズ挿入器具であって、前記眼球の内部へ前記眼内レンズを挿入するための開口部を先端に備える挿入部と、前記切開創口に押し当てるための押し当て部を備える押し当て部材と、を有し、前記押し当て部材は、前記挿入部の先端よりも後方の位置にて係止され、前記挿入部の先端側から取り外し可能であり、筒形状または略筒形状に形成され、前記押し当て部材の内周面の内側に前記挿入部が配置され、かつ、前記押し当て部材の内周面と前記挿入部とが面接触する状態で、前記押し当て部材は前記挿入部に係止されること、を特徴とする。
【発明の効果】
【０００８】
本開示の眼内レンズ挿入器具によれば、眼球の切開創口を好適に閉じることができる。
【図面の簡単な説明】
【０００９】
【図１】眼内レンズ挿入器具の外観斜視図である。
【図２】眼内レンズ挿入器具の外観側面図である。
【図３】図２のＡ−Ａ断面図である。
【図４】挿入部の側面側から見たときの挿入部と押し当て部材の周辺図である。
【図５】挿入部の先端側から見たときの挿入部と押し当て部材の周辺図である。
【図６】眼内レンズ挿入器具を使用した眼内レンズの挿入方法の説明図である。
【図７】眼内レンズ挿入器具を使用した眼内レンズの挿入方法の説明図である。
【図８】眼内レンズ挿入器具を使用した眼内レンズの挿入方法の説明図である。
【図９】眼内レンズ挿入器具を使用した眼内レンズの挿入方法の説明図である。
【発明を実施するための形態】
【００１０】
以下、本開示の実施形態を図面に基づき説明する。
【００１１】
〔インジェクターの説明〕
まず、インジェクター１について説明する。インジェクター１は、眼球に形成された切開創口から眼内へ眼内レンズを挿入するための眼内レンズ挿入器具である。
【００１２】
図１〜図３に示すように、本実施形態のインジェクター１は、筒部本体（以下、「本体」という）１０と、プランジャー１２などから構成されている。本体１０は、例えば、挿入部２０と保管部２２と押し当て部材２４などを備えている。このようなインジェクター１は、例えば、樹脂材料（例えば、ポリプロピレン）等を用いた射出成形などによって形成される。また、インジェクター１は、樹脂の削り出しによって形成されたものであってもよい。なお、インジェクター１は、挿入部２０が交換可能なカートリッジタイプのものであってもよい。
【００１３】
挿入部２０は、インジェクター１の最も前方の位置にて形成されており、中空の筒形状（例えば、楕円筒形状または円筒形状）に形成されている。そして、挿入部２０は、図３の断面において、インジェクター１の前方（以下、単に「前方」という。）（図３の左方向）にて、先端２０ａに向かうにつれて内径が徐々に小さくなる通路３０を備えている。また、挿入部２０は、その先端２０ａに、眼内レンズ１００を挿入部２０の外部に送出して眼内（眼球５０の内部）に挿入するための切欠き３２（ベベル、開口部）を備えている。挿入部２０の通路３０を通過した眼内レンズ１００は、挿入部２０の内壁面２０ｂに沿って小さく折り曲げられて、先端２０ａにある切欠き３２から眼内に挿入される（図７参照）。
【００１４】
保管部２２は、挿入部２０よりもインジェクター１の後方（以下、単に「後方」という。）（図２や図３の右方向）の位置に形成されている。そして、図３に示すように、プランジャー１２により押し出される前の未使用の眼内レンズ１００は、保管部２２内の空間部２２ａにて保管されている。なお、眼内レンズ１００の保管態様として、インジェクター１の製造時に眼内レンズ１００を充填してもよい。もしくは、術者または介助者が、使用時にインジェクター１へ眼内レンズを充填してもよい。
【００１５】
押し当て部材２４は、詳しくは後述するように、切開創口５４に押し当てるための部材である（図８等参照）。この押し当て部材２４は、挿入部２０の先端２０ａよりも後方の位置にて挿入部２０に係止されている。本実施形態の押し当て部材２４は、挿入部２０に対して先端２０ａ側から取り外し可能である。
【００１６】
本実施形態の押し当て部材２４は、筒形状に形成されている。そして、押し当て部材２４の内周面２４ａの形状は、挿入部２０の外周面２０ｃの形状に対応してテーパ形状に形成されている（図３参照）。すなわち、押し当て部材２４の内径と挿入部２０の外径は、ともに、前方に向かうほど、小さくなっている。そして、押し当て部材２４の内周面２４ａの内側（貫通孔内）に挿入部２０が配置され、かつ、押し当て部材２４の内周面２４ａと挿入部２０の外周面２０ｃとが面接触する状態で、押し当て部材２４は挿入部２０に係止されている。このように、本実施形態の押し当て部材２４は、押し当て部材２４の内周面２４ａと挿入部２０の外周面２０ｃの面同士が干渉することにより、すなわち、押し当て部材２４と挿入部２０のテーパ形状部分同士が嵌め合うことにより、先端２０ａよりも後方の位置にて、挿入部２０に係止されている。
【００１７】
このように押し当て部材２４は、簡易な構造で挿入部２０に係止されており、前方に押されると、挿入部２０との係止状態が解除されて、挿入部２０に対して先端２０ａ側から取り外し可能となっている。
【００１８】
なお、押し当て部材２４は、略筒形状に形成されていてもよい。ここで、略筒形状とは、一部に切り欠き部を備えた筒形状である。つまり、眼内レンズ１００の挿入方向に垂直な断面で見た場合の押し当て部材２４の形状は、開環状等であってもよい。
【００１９】
本実施形態の押し当て部材２４は、図３〜図５に示すように、筒状部４０と押し当て部４２と把持部４４などを備えている。
【００２０】
筒状部４０は、筒形状（例えば、楕円筒形状または円筒形状）に形成され、第１部位４０ａと第２部位４０ｂを備えている。第１部位４０ａは、前方に形成されており、その外径が押し当て部４２側に向かうほど小さくなるように形成されている。第２部位４０ｂは、第１部位４０ａに対して後方に形成されており、その外径が一定に形成されている。
【００２１】
押し当て部４２は、眼内レンズ１００を眼内に挿入する一連の作業時に切開創口５４に押し当てられる。この押し当て部４２は、押し当て部材２４の軸方向（図４の左右方向）の一端にて、すなわち、押し当て部材２４が挿入部２０に係止されているときに押し当て部材２４における前方の端部にて、押し当て部材２４の軸方向と交差（本実施形態では直交）する方向（特に、図４の紙面の手前および奥行方向）に、筒状部４０よりも外側に突出するように形成されている。また、押し当て部４２は、図５に示すように、４つの角部がＲ状（円弧状）に形成された矩形状に形成されている。押し当て部４２の大きさは、例えば、５ｍｍ×８ｍｍとする。なお、本実施形態では、押し当て部４２は、筒状部４０よりも外側に突出する羽根状で形成されているが、押し当て部４２の形状はこれに限られるものではない。また、押し当て部４２を筒形状の筒状部４０から突出させて形成せずに、筒形状の筒状部４０の先端面が押し当て部４２であってもよい。
【００２２】
押し当て部４２における前方の面に相当する押し当て面４２ａは、眼内レンズ１００を眼内に挿入する一連の作業時に切開創口５４と切開創口５４の周辺部分に押し当てられる面となり、眼球５０の形状に合うように球面に沿う形状に形成されている。なお、押し当て面４２ａが平面で形成されていてもよい。また、押し当て面４２ａは、例えば、インジェクター１が推奨する切開創口の長さ（インジェクター１に添付される文章等で、術者に提示される寸法）を覆うことが可能な面積を有する。
【００２３】
把持部４４は、筒状部４０から外側に突出する。本実施形態では、把持部４４は、押し当て部材２４の軸方向と直交する方向に、筒状部４０から突出するように形成されている。この把持部４４は、術者などのインジェクター１の使用者が掴むことができる部分である。
【００２４】
ここで、一例として、押し当て部材２４が挿入部２０に係止されているときに、挿入部２０の最先端２０ｄと押し当て部４２の押し当て面４２ａとの距離δ（図４参照）は、２ｍｍ〜２０ｍｍとする。さらに、眼内レンズ１００を眼内に挿入する一連の作業時における操作性の観点から、後述するように挿入部２０を眼内へ差し込んだときに押し当て部材２４が眼球５０に接することを避ける場合には（図７参照）、距離δは、より好ましくは５ｍｍ〜１０ｍｍとする。
【００２５】
押し当て部材２４の押し当て部４２は、押し当て面４２ａにて、切開創口５４に付与するための薬剤（例えば、切開創口５４の治癒を早める効果を有する薬剤）を保持していてもよい。そこで、例えば、押し当て部４２の押し当て面４２ａは、薬剤を保持できるような溝や凹凸を備えたり、薬剤を保持できるような表面粗さの設定や表面処理が施されていることが好ましい。なお、薬剤の一例として水分を含むことによりゲル状になる薬剤を使用すれば、押し当て部４２の押し当て面４２ａにて薬剤を乾燥させた状態で予め保持させておくことができる。
【００２６】
押し当て部材２４の材質は、挿入部２０と同じ樹脂であっても異なる樹脂であってもよい。具体的には、押し当て部材２４の材質を、例えば、ポリプロピレン、または、ポリカーボネート、または、ＡＢＳ樹脂、または、シリコン樹脂としてもよい。
【００２７】
プランジャー１２は、本体１０の基端部１０ａから挿入部２０の先端２０ａまで繋がる空間部２２ａおよび通路３０の内部を、プランジャー１２の軸方向（図２の左右方向）に進退可能な状態で、本体１０の内部に挿入されている。このプランジャー１２は、眼内レンズ１００の光学部１１０を押して挿入部２０内で眼内レンズ１００を小さく折り曲げながら、眼内レンズ１００を挿入部２０の先端２０ａから挿入部２０の外部へ押し出す。なお、必ずしも、挿入部２０で眼内レンズ１００を小さく折り曲げなくてもよい。例えば、小さく折り曲げた眼内レンズ１００を保管部２２で保管してもよい。
【００２８】
なお、本実施形態で使用される眼内レンズ１００は、光学部１１０と、一対の支持部である前方支持部１１２Ａおよび後方支持部１１２Ｂと、が柔軟な素材で一体成形されたワンピース型の眼内レンズである。
【００２９】
〔眼内レンズの挿入方法の説明〕
次に、インジェクター１を使用して眼内レンズ１００を患者の眼内へ挿入する際の眼内レンズ１００の挿入方法について説明する。
【００３０】
まず、図６に示すように、術者は、眼球５０の角膜５２に、線状の切開創口５４を形成する。なお、切開創口５４の長さは、１．５ｍｍ〜４．０ｍｍである。例えば、術者がメスを操作することで、切開創口５４が形成される。超短パルスレーザを角膜５２に集光させることで切開創口５４が形成されてもよい。
【００３１】
次に、図７に示すように、術者は、インジェクター１の挿入部２０を、切開創口５４から眼内へ差し込み、プランジャー１２を押して眼内レンズ１００を挿入部２０の切欠き３２から眼内へ挿入する。このとき、本実施形態では、前記のように挿入部２０の最先端２０ｄと押し当て部４２の押し当て面４２ａとの距離δは十分に確保されている。従って、押し当て部材２４の押し当て部４２は、角膜５２から離れており、角膜５２に接していない。これにより、術者は、押し当て部材２４の押し当て部４２が角膜５２に接することによる制約を受けることなく、挿入部２０を眼内へ差し込む量を所望の量に設定できる。
【００３２】
次に、図８に示すように、術者は、把持部４４を掴んで押し当て部材２４を挿入部２０の先端２０ａ側へ移動させて押し当て部材２４と挿入部２０との係止状態を解除させた後、押し当て部材２４の押し当て部４２を角膜５２における切開創口５４と切開創口５４の周辺部分に押し当てる。
【００３３】
次に、図９に示すように、術者は、把持部４４を掴んで押し当て部４２を切開創口５４と切開創口５４の周辺部分に押し当てた状態を維持しながら、挿入部２０を眼内から引き抜くとともに、挿入部２０を押し当て部材２４の内周面２４ａの内側からも引き抜く。このようにして、押し当て部材２４は、挿入部２０に対して先端２０ａ側から取り外される。このとき、押し当て部材２４により切開創口５４と切開創口５４の周辺部分が押されているので、切開創口５４は、眼内から引き抜かれる挿入部２０に引き摺られたとしても、眼球５０の外側に（フィッシュマウス状に）開き難くなる。
【００３４】
また、本実施形態のインジェクター１は、切開創口５４と切開創口５４の周辺部分に、押し当て部４２を押し当てた状態で、挿入部２０を眼内から引き抜くことができる。したがって、例えば、挿入部２０を眼内から引き抜いてから切開創口５４を押さえる手法に対して、切開創口５４を速やかに押さえることができる。
【００３５】
また、本実施形態では、インジェクター１の全長をＬとする（図２参照）と、切開創口５４の位置を中心とした半径Ｌの範囲内に押し当て部材２４が配置された状態で、眼内から挿入部２０を引き抜くことができる。換言するなら、本実施形態では、押し当て部材２４が切開創口５４に略位置合わせされた状態（切開創口５４の近傍に位置された状態）で、眼内から挿入部２０を引き抜くことができる。したがって、術者は、僅かな操作距離（手の移動距離）で、切開創口５４に押し当て部材２４を押し当てることができる。また、術者が押し当て部材２４を探す手間、または術者が介助者から押し当て部材２４を受け取る手間を低減できる。
【００３６】
次に、術者は、把持部４４を掴んで押し当て部４２を切開創口５４と切開創口５４の周辺部分に押し当てた状態で、押し当て部材２４を動かす（図９参照）。これにより、切開創口５４は、閉じられる。なお、切開創口５４は、このとき、必ずしも確実に閉じられるとは限らず、少なくともその広がりが抑制され、その後、閉じられるとも考えられる。
【００３７】
また、前記のように術者が押し当て部４２を切開創口５４と切開創口５４の周辺部分に押し当てた状態で押し当て部材２４を動かすとき、押し当て部４２の押し当て面４２ａに薬剤が保持されている場合には、同時に、薬剤が切開創口５４と切開創口５４の周辺部分に付与される。なお、術者は、自らの手で薬剤を切開創口５４と切開創口５４の周辺部分に付与してもよい。
【００３８】
最後に、術者は、押し当て部材２４を眼球５０から離す。これにより、眼内レンズ１００を眼内へ挿入する一連の作業が終了する。なお、押し当て部材２４により閉じられた切開創口５４は、その後、時間の経過とともに治癒する。
【００３９】
なお、眼内レンズ１００の挿入方法の手順、特に、押し当て部材２４の押し当て部４２を切開創口５４と切開創口５４の周辺部分に押し当てるタイミングについては、適宜変更可能である。例えば、術者は、挿入部２０を眼内から引き抜いた後に、押し当て部材２４を挿入部２０から取り外して、押し当て部４２を切開創口５４と切開創口５４の周辺部分に押し当ててもよい。これにより、挿入部２０が眼内から引き抜かれるときに切開創口５４が挿入部２０に引き摺られて眼球５０の外側に一旦開いたとしても、術者は押し当て部材２４により切開創口を閉じることができる。
【００４０】
あるいは、術者は、眼内レンズ１００を挿入部２０の切欠き３２から眼内へ挿入する前に、予め、押し当て部材２４を挿入部２０から取り外して、押し当て部４２を切開創口５４と切開創口５４の周辺部分に押し当ててもよい。つまり、本実施形態のインジェクター１は、押し当て部材２４を有するため、例えば、使用者が手術前に、切開創口５４を押さえる器具等を調達する手間を低減できる。
【００４１】
以上のように本実施形態のインジェクター１は、切開創口５４に押し当てるための押し当て部４２を備える押し当て部材２４を有しており、この押し当て部材２４は、インジェクター１から取り外し可能である。そのため、押し当て部材２４で眼球５０の切開創口５４を好適に閉じることが出来る。例えば、押し当て部材２４の形状は、眼球の形状を考慮した形状で形成されているため、押し当て部材２４で切開創口５４を安定して押さえることができる。また、インジェクター１が取り外し可能な押し当て部材２４を有するため、術者は、インジェクター１を用いる一連の作業時において、押し当て部材２４で切開創口５４を速やかに押さえることができる。
【００４２】
この押し当て部材２４は、挿入部２０の先端２０ａよりも後方の位置にて挿入部２０に係止される。そして、押し当て部材２４は、挿入部２０に対して、先端２０ａ側から取り外し可能である。
【００４３】
これにより、術者は、眼内レンズ１００を眼内へ挿入する一連の作業時において、必要なときに、押し当て部材２４を挿入部２０に対して先端２０ａ側から取り外して、押し当て部材２４の押し当て部４２を切開創口５４と切開創口５４の周辺部分に押し当てることができる。そして、従来のように術者が指で切開創口５４を閉じる場合よりも、術者は、切開創口５４と切開創口５４の周辺部分に対して押し当て部材２４を均一に押し当てることができるので、切開創口５４を安定して閉じることができる。また、例えば、挿入部２０を眼内から引き抜いてから切開創口５４を押さえる手法に対して、本実施形態のインジェクター１は、切開創口５４に押し当て部材２４を速やかに押し当てることができる。
【００４４】
また、押し当て部材２４の内周面２４ａの内側に挿入部２０が配置され、かつ、押し当て部材２４の内周面２４ａと挿入部２０の外周面２０ｃとが面接触する状態で、押し当て部材２４は挿入部２０に係止されている。このように、押し当て部材２４は、簡易な構造で挿入部２０に係止されている。これにより、術者は、容易に押し当て部材２４を挿入部２０から取り外して、押し当て部材２４の押し当て部４２を切開創口５４と切開創口５４の周辺部分に押し当てることができる。また、インジェクター１を安価で提供できる。また、押し当て部材２４は、インジェクター１の運搬時等においても、安定して挿入部２０に係止される。
【００４５】
また、押し当て部材２４の押し当て部４２は、押し当て部材２４の軸方向の一端にて、当該軸方向と交差する方向に突出する。このようにして、押し当て部４２の押し当て面４２ａが大きく形成されているので、押し当て部４２を切開創口５４と切開創口５４の周辺部分に対して広範囲に亘って均一に押し当てることができる。そのため、術者は、より効果的に、切開創口５４を安定して閉じることができる。例えば、切開創口５４を術者の指で押さえる場合は、眼球５０を押す力加減によって眼球５０と指との接触面積が変化し易い。一方、本実施形態の押し当て部材２４であれば、所定形状の部材で眼球５０を押すため、眼球５０と押し当て面４２ａとの接触面積が変化し難くなる。したがって、切開創口５４をより容易に押さえることができる。
【００４６】
また、押し当て部材２４は、術者などのインジェクター１の使用者が把持可能な把持部４４を備える。これにより、術者は、把持部４４を掴んで押し当て部材２４を挿入部２０から取り外したり、把持部４４を掴んで押し当て部４２を切開創口５４と切開創口５４の周辺部分に押し当てながら押し当て部材２４を動かしたりすることができる。そのため、押し当て部材２４の操作性が向上する。
【００４７】
また、押し当て部材２４の押し当て部４２は、その押し当て面４２ａにて、切開創口５４に付与するための薬剤を保持していてもよい。これにより、術者が押し当て部４２を切開創口５４と切開創口５４の周辺部分に押し当てると同時に、切開創口５４と切開創口５４の周辺部分に薬剤が付与される。そして、例えば、押し当て部４２の押し当て面４２ａに、切開創口５４の治癒を早める効果を有する薬剤が保持されていれば、切開創口５４はより早期に治癒する。
【００４８】
なお、上記した実施の形態は単なる例示にすぎず、本開示を何ら限定するものではなく、その要旨を逸脱しない範囲内で種々の改良、変形が可能であることはもちろんである。
【００４９】
例えば、押し当て部材２４は、押し当て部４２の押し当て面４２ａに、クッション性のある部材（例えば、指と同等の軟らかさを有する部材）を備えていてもよい。これにより、押し当て部材２４により眼球５０に与えられえる負担が抑えられる。
【００５０】
また、押し当て部材２４は、眼内レンズ１００を眼内へ挿入するときに押し当て部４２の角部が眼球５０に当たらないように、押し当て部４２における４つの角部のうちの一部の角部を削除した形状に形成されていてもよい。
【００５１】
また、押し当て部４２は、環状（例えば、円環形状）に形成されていてもよい。さらに、押し当て部４２は、押し当て部材２４の軸方向と交差する方向のいずれか一方のみ（例えば、図５の左右方向の一方のみ）筒状部４０から突出するように形成されていてもよい。
【００５２】
また、押し当て部材２４は、インジェクター１の軸方向（図２の左右方向）について挿入部２０の先端２０ａよりも後方のいずれかの位置にて係止されていればよく、例えば、挿入部２０と保管部２２に亘って係止されていてもよい。また、押し当て部材２４は、挿入部２０の先端側および後端側の両方から取り外し可能であってもよい。
【００５３】
また、押し当て部材２４は、把持部４４を備えていなくてもよい。この場合、術者は、例えば、筒状部４０において掴みやすいように外径が一定に形成された第２部位４０ｂを掴めば、押し当て部材２４を挿入部２０から容易に取り外すことができる。
【００５４】
上記実施形態で例示した眼内レンズ１００は、光学部１１０と前方支持部１１２Ａと後方支持部１１２Ｂとが一体形成されたワンピース型の眼内レンズである。しかし、上記実施形態で例示した技術は、ワンピース型以外の眼内レンズ（例えば、３ピース眼内レンズ等）を眼内に挿入するための眼内レンズ挿入器具にも適用することができる。
【００５５】
インジェクター１は、押し当て部材２４を係止する位置（すなわち、図４の距離δ）を調整できる手段を備えてもよい。この場合、押し当て部４２（押し当て面４２ａ）は、切開創口５４から眼内に侵入するインジェクター１の侵入量を規制する規制部としても作用する。これによって、公知のＷｏｕｎｄ−ａｓｓｉｓｔｅｄ法を用いた眼内レンズ１００の挿入が容易に行える。なお、規制部として用いた押し当て部４２は、切開創口５４に押し当てる押し当て部材として兼用することができる。よって、インジェクター１を複雑な構成にすることなく、Ｗｏｕｎｄ−ａｓｓｉｓｔｅｄ法による眼内レンズ１００の挿入が可能であり、また、インジェクター１を引き抜いた後の切開創口５４を、押し当て部４２で好適に押さえることが可能なインジェクター１を提供できる。
【符号の説明】
【００５６】
１  インジェクター
１０  筒部本体（本体）
１２  プランジャー（押出部材）
２０  挿入部
２０ａ  先端
２０ｃ  外周面
２０ｄ  最先端
２２  保管部
２４  押し当て部材
２４ａ  内周面
３２  切欠き
４０  筒状部
４２  押し当て部
４２ａ  押し当て面
４４  把持部
５０  眼球
５２  角膜
５４  切開創口
１００  眼内レンズ
【図１】
0006540048.tif 000002
【図２】
0006540048.tif 000003
【図３】
0006540048.tif 000004
【図４】
0006540048.tif 000005
【図５】
0006540048.tif 000006
【図６】
0006540048.tif 000007
【図７】
0006540048.tif 000008
【図８】
0006540048.tif 000009
【図９】
0006540048.tif 000010